(57)【要約】【課題】光触媒を担持させた多孔質ビーズを面状に配列させることにより被服等の面状のものに光触媒作用を生じさせることを課題としている。【解決手段】  ガラス粉末を焼結させて成形した多孔質ビーズ（３）に、当該ビーズ（３）を貫通する糸通し孔（５）が形成されると共に、光触媒となる酸化チタン（２）がコーティングされてなり、耐光触媒反応性を有するワイヤ（４）もしくは合成繊維が多孔質ビーズ（３）の糸通し孔（５）に順次挿通されて、多孔質ビーズ（３）が面状に織り上げられて成る。【選択図】図１
2015047590.tif 000002
【特許請求の範囲】
【請求項１】
ガラス粉末を焼結させて成形した多孔質ビーズに、当該ビーズを貫通する糸通し孔が形成されると共に、光触媒となる酸化チタンがコーティングされてなり、
耐光触媒反応性を有するワイヤもしくは合成繊維が、前記多孔質ビーズの糸通し孔に順次挿通されて、多孔質ビーズが面状に織り上げられたことを特徴とする光触媒体。
【請求項２】
前記ガラス粉末がホウケイ酸ガラスの粉末である請求項１記載の光触媒体。
【請求項３】
前記ワイヤがチタン製又はステンレス製である請求項１又は２記載の光触媒体。
【請求項４】
前記合成繊維が、ガラス繊維、炭素繊維、フルオロカーボン繊維及びフッ素系繊維のいずれかである請求項１又は２記載の光触媒体。
【発明の詳細な説明】
【技術分野】
【０００１】
本発明は、被服等に用いることのできる面状の光触媒体に関する。
【背景技術】
【０００２】
アナターゼ型の酸化チタンは光触媒として知られており、この光触媒を塗布したものは表面に汚れ等が付着しても、紫外光環境下における光触媒の自己浄化作用により汚れが分解されるため、生地に光触媒をコーティングすることができれば、生地の汚れを自己浄化させることができる。
【０００３】
この場合、特許文献１に記載されているように、生地に酸化チタン溶液をスプレーするなどしてその表面に担持させることが最も簡単であるが、乾燥した後、生地の風合を損ねたり、生地表面から脱落してしまう。このため、最近では、光触媒を合成繊維に混練し、その繊維で生地を織ることも行われている。
【０００４】
しかしながら、合成繊維の原料として有機物質が使用されている場合、酸化チタンの強力な光触媒作用により、有機物質が分解されるため生地自体も分解されてしまうという問題を生ずる。
また、光触媒反応に耐えるフッ素樹脂系の繊維を用いることも考えられるが、その樹脂中に光触媒を添加して混練し繊維として紡績するためにはそれなりの化学プラントを必要とし、コストが嵩むという問題がある。
【先行技術文献】
【特許文献】
【０００５】
【特許文献１】特開２００５−１５４９７０号公報
【発明の概要】
【発明が解決しようとする課題】
【０００６】
そこで本発明は、光触媒を担持させたビーズを面状に配列させることにより被服等の面状のものに光触媒作用を生じさせることを技術的課題としている。
【課題を解決するための手段】
【０００７】
この課題を解決するために、本発明に係る光触媒体は、ガラス粉末を焼結させて成形した多孔質ビーズに、当該ビーズを貫通する糸通し孔が形成されると共に、光触媒となる酸化チタンがコーティングされてなり、耐光触媒反応性を有するワイヤもしくは合成繊維が、前記多孔質ビーズの糸通し孔に順次挿通されて、多孔質ビーズが面状に織り上げられたことを特徴とする。
【発明の効果】
【０００８】
本発明の光触媒体によれば、光触媒を担持させた多孔質ビーズに糸通し孔が形成され、この多孔質ビーズがワイヤなどにより面状に織り上げられているので、このビーズ織りされた光触媒体を用いて被服を縫製すれば、ビーズ装飾が施された高級被服となり、個々の多孔質ビーズには光触媒となる酸化チタンが担持されているので、汚れが付着しても紫外線環境下で光触媒作用を呈し、自己浄化される。
したがって、いままで洗濯等が困難であったビーズ織り高級被服でも、洗濯することなく清浄な状態に維持することができる。
【０００９】
また、ビーズ織りされた光触媒体を部分的に装飾品として使用する場合も、同様に紫外線環境下で自己浄化されるので、常に清浄な状態に維持され、手入れが簡素化できる。
さらに、光触媒体は、光触媒を担持させた多孔質ビーズが面状に配列されているので、光触媒作用を有する光触媒フィルタとして用いることもできる。
【図面の簡単な説明】
【００１０】
【図１】本発明に係る光触媒体一例を示す説明図。
【図２】多孔質ビーズの製造型を示す説明図。
【図３】多孔質ビーズの製造手順を示す説明図。
【発明を実施するための形態】
【００１１】
本発明に係る光触媒体は、ガラス粉末を焼結させて成形した多孔質ビーズに、当該ビーズを貫通する糸通し孔が形成されると共に、光触媒となる酸化チタンがコーティングされてなり、耐光触媒反応性を有するワイヤもしくは合成繊維が、前記多孔質ビーズの糸通し孔に順次挿通されて多孔質ビーズが面状に織り上げられている。
多孔質ビーズを形成するガラス粉末としては、ホウケイ酸ガラスの粉末を用いることができる。
また、多孔質ビーズの糸通し孔に挿通されるワイヤは、チタン製又はステンレス製であることが好ましい。
さらに、多孔質ビーズの糸通し孔に挿通される合成繊維が、ガラス繊維、炭素繊維、フルオロカーボン繊維及びフッ素系繊維のいずれかであることが好ましい。
【実施例】
【００１２】
光触媒体１は、光触媒となる酸化チタン２がコーティングされた多数の多孔質ビーズ３…が、耐光触媒反応性を有するワイヤ４によって織り上げられて成る。
多孔質ビーズ３は、ガラス粉末を焼結させて任意の形状に成形されて、当該ビーズ３を貫通する糸通し孔５が形成されると共に、その表面に光触媒がコーティングされている。
【００１３】
この多孔質ビーズ３は、例えば、図２に示すプレス金型６Ａ〜６Ｅを用いて直径４〜８ｍｍ程度の楕円球状に成形される。
プレス金型６Ａ〜５Ｄは、上下左右から合体されて多孔質ビーズ３の外形状となるキャビティ７を形成し、プレス金型６Ｅは糸通し孔５を形成する。
【００１４】
具体的には、図３（ａ）に示すように、孔成形用プレス金型６Ｅの上から底部プレス金型６Ａを合体させた状態で、左右のプレス金型６Ｂ、５Ｃを型締めしてキャビティ７内に原料となるホウケイ酸ガラス粉末８をバインダと共に充填した後、図３（ｂ）に示すように頂部プレス金型６Ｅで加圧することによりプレス成形し、図３（ｃ）に示すように型バラシすれば、図３（ｄ）に示すようなビーズ形状のペレット９が形成される。
【００１５】
このペレット８を所定の温度で焼結させることにより、孔径４０〜１００μｍの連結多孔質状に形成された多孔質ビーズ３が得られる。
この多孔質ビーズ３をアナターゼ型酸化チタンの溶液中に浸漬した後、洗浄し、さらに焼結乾燥させることにより、その表面に酸化チタン２がコーティングされる。
なお、このような製法に限らず、市販のホウケイ酸多孔質ガラスビーズにレーザ加工などの手法で糸通し孔を形成し、光触媒を担持させてもよい。
【００１６】
次いで、このように形成された多孔質ビーズ３の糸通し孔５にワイヤ４を順次挿通して面状に織り上げていく。
ワイヤ４としては、光触媒反応で分解されない耐光触媒反応性を有するチタン製やステンレス製のものが望ましく、本例ではチタンワイヤを使用している。
また、ワイヤ４に替えて、耐光触媒反応性を有する繊維、例えば、ガラス繊維、炭素繊維、フルオロカーボン繊維及びフッ素系繊維のいずれかを用いる場合でもよい。
【００１７】
以上が本発明の一構成例であって、次にその作用について説明する。
光触媒体１は、多数の多孔質ビーズ２…により面状に織り上げられているので、この光触媒体１で被服などを縫製すればビーズ織りの高級被服となり、また、個々の多孔質ビーズ２には光触媒となる酸化チタン２が担持されて光触媒作用を有するので、汚れが付着しても紫外線環境下で自己浄化される。
したがって、いままで洗濯等が困難であったビーズ織り高級被服でも、洗濯することなく清浄な状態に維持することができるというメリットがある。
【００１８】
また、本発明の光触媒体１のビーズ織りを部分的に装飾品として使用する場合も、同様に紫外線環境下で自己浄化されるので、常に清浄な状態に維持され、手入れが簡素化されるというメリットがある。
さらに、光触媒体１は、光触媒を担持させた多孔質ビーズ２を面状に配列することができることから、これを布製フィルタのように、光触媒フィルタとして用いることもできる。
【産業上の利用可能性】
【００１９】
本発明は、光触媒を担持させた多孔質ビーズを面状に配列した光触媒体の用途に適用し得る。
【符号の説明】
【００２０】
１  光触媒体
２  酸化チタン
３  多孔質ビーズ
４  ワイヤ
５  糸通し孔
【図１】
2015047590.tif 000003
【図２】
2015047590.tif 000004
【図３】
2015047590.tif 000005